(57)【要約】      （修正有）【課題】出力する放送をディジタル放送と、アナログ放送とのいずれか一方に切り替え可能な車載受信装置において、出力する放送の切り替えを抑制する。【解決手段】ディジタル放送と、ディジタル放送に対応したアナログ放送と、を受信可能な車載受信装置において、ディジタル放送の受信状態に応じて、受信状態が良い場合は、出力する放送をアナログ放送からディジタル放送へと切り替え、受信状態が悪い場合は、ディジタル放送からアナログ放送へと切り替える構成とし、出力する放送をディジタル放送とアナログ放送との間で切り替えた後は、所定時間の間は、出力する放送の切り替えを行わない。【選択図】図２
2012114532.tif 000002
【特許請求の範囲】
【請求項１】
車両に搭載され、ディジタル放送と、ディジタル放送に対応したアナログ放送と、を受信可能な車載受信装置において、
ディジタル放送の受信状態に応じて、受信状態が良い場合は、出力する放送をアナログ放送からディジタル放送へと切り替え、受信状態が悪い場合は、ディジタル放送からアナログ放送へと切り替える構成とし、
出力する放送をディジタル放送とアナログ放送との間で切り替えた後は、所定時間の間は、出力する放送の切り替えを行わないことを特徴とする車載受信装置。
【請求項２】
ディジタル放送に係るディジタルオーディオ信号と、アナログ放送に係るアナログオーディオ信号と、が入力され、出力信号をディジタルオーディオ信号及びアナログオーディオ信号のいずれかに切り替える信号処理部と、
この信号処理部を制御して、ディジタル放送の受信状態に応じて、受信状態が良い場合は、信号処理部の出力信号をアナログオーディオ信号からディジタルオーディオ信号へと切り替え、受信状態が悪い場合は、ディジタルオーディオ信号からアナログオーディオ信号へと切り替えると共に、出力信号をディジタルオーディオ信号とアナログオーディオ信号との間で切り替えた後は、所定時間の間は、出力信号の切り替えを行わない制御部と、
を備えることを特徴とする車載受信装置。
【請求項３】
前記制御部は、
ディジタル放送の受信強度が閾値を超える場合、及び／又は、ディジタル放送に係る受信信号の品質レベルが閾値を超える場合、受信状態が良いと判別することを特徴とする車載受信装置。
【請求項４】
車両に搭載され、ディジタル放送と、ディジタル放送に対応したアナログ放送と、を受信可能であり、ディジタル放送の受信状態に応じて、受信状態が良い場合は、出力する放送をアナログ放送からディジタル放送へと切り替え、受信状態が悪い場合は、ディジタル放送からアナログ放送へと切り替える構成を有する車載受信装置を制御して、
出力する放送をディジタル放送とアナログ放送との間で切り替え、切り替え後、所定時間の間、出力する放送の切り替えを行わない状態を維持することを特徴とする車載受信装置の制御方法。
【請求項５】
車両に搭載され、ディジタル放送と、ディジタル放送に対応したアナログ放送と、を受信可能であり、ディジタル放送の受信状態に応じて、受信状態が良い場合は、出力する放送をアナログ放送からディジタル放送へと切り替え、受信状態が悪い場合は、ディジタル放送からアナログ放送へと切り替える構成を有する車載受信装置を制御するためのコンピューターにより実行されるプログラムであって、
前記コンピューターを、
出力する放送をディジタル放送とアナログ放送との間で切り替えた後は、所定時間の間は、出力する放送の切り替えを行わない手段として機能させることを特徴とするプログラム。
【発明の詳細な説明】
【技術分野】
【０００１】
本発明は、ディジタル放送と、ディジタル放送に対応したアナログ放送と、を受信可能な車載受信装置、当該車載受信装置の制御方法、及び、車載受信装置を制御するためのプログラムに関する。
【背景技術】
【０００２】
従来、ディジタル用チューナーと、アナログ用チューナーとを備え、ディジタル放送、及び、アナログ放送の双方を受信し、出力可能な受信装置が知られている（例えば、特許文献１参照）。
この種の受信装置では、受信強度が低い状況下でディジタル放送を受信した場合、データ（ビット）損失等の受信エラーの発生に起因して、放送の受信自体ができない状況が現出することがあるため、受信強度に応じて、出力する放送をディジタル放送とアナログ放送との間で切り替え可能な構成とし、受信強度が低い状況下ではこのような状況でも受信可能なアナログ放送を受信し、受信強度が高い状況下ではディジタル放送を受信するようにしたものがある。
【先行技術文献】
【特許文献】
【０００３】
【特許文献１】特開２００６−２６１７１３号公報
【発明の概要】
【発明が解決しようとする課題】
【０００４】
ところで、ディジタル放送に係る音声と、アナログ放送に係る音声とでは、ディジタル放送に係る音声の方がその品質は高く、品質に差があるのが現状である。従って、出力する放送をディジタル放送と、アナログ放送との間で切り替えた場合、音声の品質の差に起因して、また、切り替えに伴って生じるタイムラグに起因してユーザーに聞き取りづらさを感じさせてしまうことがある。このため、できるだけ出力放送の切り替えを抑制したいとするニーズがあった。
本発明は、上述した事情に鑑みてなされたものであり、出力する放送の切り替えが行われることを抑制することを目的とする。
【課題を解決するための手段】
【０００５】
上記目的を達成するために、本発明は、車両に搭載され、ディジタル放送と、ディジタル放送に対応したアナログ放送と、を受信可能な車載受信装置において、ディジタル放送の受信状態に応じて、受信状態が良い場合は、出力する放送をアナログ放送からディジタル放送へと切り替え、受信状態が悪い場合は、ディジタル放送からアナログ放送へと切り替える構成とし、出力する放送をディジタル放送とアナログ放送との間で切り替えた後は、所定時間の間は、出力する放送の切り替えを行わないことを特徴とする。
【０００６】
また、上記発明の車載受信装置において、本発明は、ディジタル放送に係るディジタルオーディオ信号と、アナログ放送に係るアナログオーディオ信号と、が入力され、出力信号をディジタルオーディオ信号及びアナログオーディオ信号のいずれかに切り替える信号処理部と、この信号処理部を制御して、ディジタル放送の受信状態に応じて、受信状態が良い場合は、信号処理部の出力信号をアナログオーディオ信号からディジタルオーディオ信号へと切り替え、受信状態が悪い場合は、ディジタルオーディオ信号からアナログオーディオ信号へと切り替えると共に、出力信号をディジタルオーディオ信号とアナログオーディオ信号との間で切り替えた後は、所定時間の間は、出力信号の切り替えを行わない制御部と、を備えることを特徴とする。
【０００７】
また、上記発明の車載受信装置において、本発明は、前記制御部は、ディジタル放送の受信強度が閾値を超える場合、及び／又は、ディジタル放送に係る受信信号の品質レベルが閾値を超える場合、受信状態が良いと判別することを特徴とする。
【０００８】
また、上記目的を達成するために、本発明は、車両に搭載され、ディジタル放送と、ディジタル放送に対応したアナログ放送と、を受信可能であり、ディジタル放送の受信状態に応じて、受信状態が良い場合は、出力する放送をアナログ放送からディジタル放送へと切り替え、受信状態が悪い場合は、ディジタル放送からアナログ放送へと切り替える構成を有する車載受信装置を制御して、出力する放送をディジタル放送とアナログ放送との間で切り替え、切り替え後、所定時間の間、出力する放送の切り替えを行わない状態を維持することを特徴とする。
【０００９】
また、上記目的を達成するために、本発明は、車両に搭載され、ディジタル放送と、ディジタル放送に対応したアナログ放送と、を受信可能であり、ディジタル放送の受信状態に応じて、受信状態が良い場合は、出力する放送をアナログ放送からディジタル放送へと切り替え、受信状態が悪い場合は、ディジタル放送からアナログ放送へと切り替える構成を有する車載受信装置を制御するためのコンピューターにより実行されるプログラムであって、前記コンピューターを、出力する放送をディジタル放送とアナログ放送との間で切り替えた後は、所定時間の間は、出力する放送の切り替えを行わない手段として機能させることを特徴とする。
【発明の効果】
【００１０】
本発明によれば、出力放送の切り替えを抑制できる。
【図面の簡単な説明】
【００１１】
【図１】車載受信装置の機能的構成を示すブロック図である。
【図２】車載受信装置の動作を示すフローチャートである。
【発明を実施するための形態】
【００１２】
以下、図面を参照して本発明の実施形態について説明する。
図１は、本実施形態に係る車載受信装置１の機能的構成を示すブロック図である。
車載受信装置１は、車両に搭載される受信装置であり、ラジオ放送局がＩＢＯＣ（in-band on channel）方式によって放送したラジオ放送を受信可能に構成されている。
ＩＢＯＣ方式は、アナログラジオ放送に割り当てられた周波数帯域を使用してディジタルラジオ放送を行う方式である。ＩＢＯＣ方式では、信号フォーマットとして、既存のアナログラジオ放送の信号にディジタルラジオ放送の信号を重畳させたハイブリッドフォーマットや、ディジタル信号のみからなるオールディジタルフォーマット等、複数の信号フォーマットが規定されている。そして、ハイブリッドフォーマットによれば、既存のアナログラジオ放送に割り当てられた周波数帯を有効に活用して、アナログラジオ放送とディジタルラジオ放送とが、同一チャンネルを使用して同時に伝送される。後述するように、ハイブリッドフォーマットに準拠した信号を受信中、車載受信装置１は、ディジタルラジオ放送、及び、アナログラジオ放送の双方に基づいてラジオ放送の出力を実行可能である。
また、ＩＢＯＣ方式のラジオ放送では、ＰＳＤ（Program Service Data）等の付随データが音声データに多重化される。付随データは、例えば、番組名や、番組のＤＪ名等を内容とするデータである。
【００１３】
図１を参照し、制御部１０は、ＣＰＵや、ＲＯＭ、ＲＡＭ、その他の周辺回路を備え、車載受信装置１の各部を中枢的に制御する。制御部１０は、図示せぬ発振器が出力する基準クロックに基づいて、経過時間の計測等、各種計時動作を実行可能である。
チューナー部１１は、制御部１０によるＰＬＬ回路１２を介しての制御の下、アンテナ１３が受信した電波から選局チャンネルのＲＦ（Radio Frequency）信号を抽出し、抽出したＲＦ信号をフィルタリング等の信号処理に適した中間周波数に周波数変換する。チューナー部１１は、ＲＦ信号の周波数変換によって得られたＩＦ（Intermediate Frequency）信号を増幅し、ＤＳＰ（Digital Signal Processor）１４のＡ／Ｄコンバーター１５に出力する。
Ａ／Ｄコンバーター１５は、チューナー部１１から入力されたＩＦ信号を、Ａ／Ｄ変換し、アナログ放送側信号処理部１６と、ＩＤＭ（IBOC Digital Module）１７のディジタル放送側信号処理部１７ａに出力する。
【００１４】
アナログ放送側信号処理部１６は、アナログラジオ放送に係る受信信号の復調処理等を行う。
具体的には、アナログ放送側信号処理部１６は、Ａ／Ｄコンバーター１５から入力されたＩＦ信号をアナログ搬送波の帯域のＩＦ信号に帯域制限する。次いで、アナログ放送側信号処理部１６は、帯域制限されたＩＦ信号をアナログラジオ放送のオーディオ信号（以下、「アナログオーディオ信号」という）に復調する。アナログ放送側信号処理部１６は、復調したアナログオーディオ信号に、ノイズ成分除去、ミュート、ハイカット、セパレーション制御等の選局チャンネルの受信状態に応じた処理を施した上で、アナログオーディオ信号を、ＩＢＯＣブレンド処理部１８（信号処理部）に出力する。
【００１５】
ＩＤＭ１７は、ＩＢＯＣ方式のディジタルラジオ放送に係る受信信号の処理用に設計されたモジュールである。
図１に示すように、ＩＤＭ１７は、ディジタル放送側信号処理部１７ａと、ブレンド信号生成部２０と、を備えている。
ディジタル放送側信号処理部１７ａは、Ａ／Ｄコンバーター１５から入力されたＩＦ信号を復調し、復調して得られた信号をデコードして所定の誤り訂正処理を行い、ディジタルラジオ放送のオーディオ信号（以下、「ディジタルオーディオ信号」という）と、付随データに分離する。ディジタル放送側信号処理部１７ａは、分離したディジタルオーディオ信号をＩＢＯＣブレンド処理部１８に出力し、分離した付随データを制御部１０に出力する。
上述したように、付随データは、番組名やＤＪ名等に係る情報が含まれたデータであり、制御部１０は、入力された付随データに基づいて、後述する表示パネル２５ａに番組名やＤＪ名等の各種情報を表示する。
【００１６】
また、ディジタル放送側信号処理部１７ａは、選局チャンネルに係る受信信号にディジタルラジオ放送に係る受信信号が含まれているか否かを判別し、判別結果をステータス情報としてブレンド信号生成部２０に出力する。ステータス情報には、受信信号に復号可能なディジタルラジオ放送に係る信号が含まれていないことを示すものと、受信信号に復号可能なディジタルラジオ放送に係る信号が含まれていることを示すもの、との２種類がある。受信信号に復号可能なディジタル放送に係る信号が含まれている場合として、選局チャンネルがオールディジタルフォーマット放送、又は、ハイブリッドフォーマット放送である場合がある。
【００１７】
また、ディジタル放送側信号処理部１７ａは、復調処理で得られる信号のＣＮ比やＳＮ比、デコード処理で得られるデータのエラービットレート等に基づいてディジタルラジオ放送に係る受信信号の品質レベルを測定し、品質情報としてブレンド信号生成部２０に出力する。さらに、ディジタル放送側信号処理部１７ａは、品質情報を制御部１０に出力する。
【００１８】
ブレンド信号生成部２０は、ディジタル放送側信号処理部１７ａから入力されたステータス情報、及び、品質情報に基づいて、ブレンド信号を生成し、ＩＢＯＣブレンド処理部１８に出力する。
詳述すると、ディジタル放送側信号処理部１７ａから入力されたステータス情報が、受信信号に復号可能なディジタルラジオ放送に係る信号が含まれていないことを示すものである場合、ブレンド信号生成部２０は、ＩＢＯＣブレンド処理部１８の出力をアナログオーディオ信号とする旨のブレンド信号（以下、適宜、「ブレンド信号Ａ」と表現する）を生成し、ＩＢＯＣブレンド処理部１８に出力する。
また、ディジタル放送側信号処理部１７ａから入力されたステータス情報が、受信信号に復号可能なディジタルラジオ放送に係る信号が含まれていることを示すものである場合であって、品質情報が示す受信信号の品質レベルが、ディジタルオーディオ信号を正常にデコードできる程度か否かの基準として設定された所定の閾値を上回る場合、ブレンド信号生成部２０は、ＩＢＯＣブレンド処理部１８の出力をディジタルオーディオ信号とする旨のブレンド信号（以下、適宜、「ブレンド信号Ｄ」と表現する）を生成し、ＩＢＯＣブレンド処理部１８に出力する。
また、ディジタル放送側信号処理部１７ａから入力されたステータス情報が、受信信号に復号可能なディジタルラジオ放送に係る信号が含まれていることを示すものである場合であって、品質情報が示す受信信号の品質レベルが、上記所定の閾値を下回る場合、ブレンド信号生成部２０は、ＩＢＯＣブレンド処理部１８の出力をアナログオーディオ信号とする旨のブレンド信号（＝ブレンド信号Ａ）を生成し、ＩＢＯＣブレンド処理部１８に出力する。
つまり、受信信号に、復号可能なディジタルラジオ放送に係る信号が含まれている状況下では、ディジタルオーディオ信号を正常にデコードできる限り、ブレンド信号生成部２０からＩＢＯＣブレンド処理部１８に対して、ブレンド信号Ｄが出力される。
なお、制御部１０には、ディジタル放送側信号処理部１７ａから品質情報が入力されるほか、後述する受信強度検出部２８の検出値が入力されており、当該入力信号に基づいて受信信号の受信強度を検出可能である。これを利用して、制御部１０の制御の下、ブレンド信号生成部２０が、ブレンド信号Ａとブレンド信号ＤとのいずれかをＩＢＯＣブレンド処理部１８に出力する構成としてもよい。すなわち、品質情報が示す受信信号の品質レベルが閾値を上回り、かつ、受信信号の受信強度が閾値（正常にディジタル放送を出力できるような受信強度の基準となる値として予め定められた閾値）を上回っている場合に、制御部１０がブレンド信号生成部２０に制御信号を出力して、ブレンド信号生成部２０の出力信号をブレンド信号Ｄをとし、一方、品質情報が示す受信強度の品質レベルが閾値を下回るか、又は、受信信号の受信強度が閾値を下回っている場合に、制御部１０がブレンド信号生成部２０に制御信号を出力して、ブレンド信号生成部２０の出力信号をブレンド信号Ａとするようにしてもよい。
【００１９】
ＩＢＯＣブレンド処理部１８は、ブレンド処理部１８ａを備えている。
ブレンド処理部１８ａは、ブレンド信号生成部２０から入力されたブレンド信号に基づいて、アナログ放送側信号処理部１６から入力されたアナログオーディオ信号と、ＩＤＭ１７のディジタル放送側信号処理部１７ａから入力されたディジタルオーディオ信号とに対してブレンド処理を行う。
具体的には、ブレンド信号生成部２０からブレンド信号Ｄが入力されている場合には、実質的にディジタルオーディオ信号のみが出力されるようにアナログオーディオ信号を減衰する。一方、ブレンド信号生成部２０からブレンド信号Ａが入力されている場合には、実質的にアナログオーディオ信号のみが出力されるようにディジタルオーディオ信号を減衰する。また、ブレンド信号生成部２０から入力されるブレンド信号が、ブレンド信号Ａからブレンド信号Ｄに変わり、また、ブレンド信号Ｄからブレンド信号Ａへ変わった場合、ブレンド処理部１８ａは、アナログオーディオ信号とディジタルオーディオ信号との遅延量、品質差等を考慮した補正を行いながら、これら信号のミキシングを行いつつ、音声がスムーズにつながるように、出力するオーディオ信号を切り替える。
ブレンド処理部１８ａが出力したオーディオ信号は、オーディオ処理部１８ｂに出力され、当該オーディオ処理部１８ｂにより所定の処理が施された後、Ｄ／Ａコンバーター２１に出力される。
【００２０】
Ｄ／Ａコンバーター２１は、オーディオ処理部１８ｂから入力されたオーディオ信号をＤ／Ａ変換した後、パワーアンプ２２に出力する。
パワーアンプ２２は、入力されたオーディオ信号をユーザーにより指定されたボリュームに応じて増幅し、スピーカー２３を介して放音する。以上のようにして、選局チャンネルのラジオ放送が出力される。
【００２１】
なお、以下の説明では、ＩＢＯＣブレンド処理部１８からＤ／Ａコンバーター２１に対してディジタルオーディオ信号が出力され、その結果、ディジタルオーディオ信号に基づいてスピーカー２３から音声が出力されることを、「ディジタルラジオ放送が出力される」と表現し、一方、ＩＢＯＣブレンド処理部１８からＤ／Ａコンバーター２１に対してアナログオーディオ信号が出力され、その結果、アナログオーディオ信号に基づいてスピーカー２３から音声が出力されることを、「アナログラジオ放送が出力される」と表現することがあるものとする。
【００２２】
図１を参照し、表示部２５は、制御部１０の制御の下、液晶表示パネル等からなる表示パネル２５ａに各種情報を表示する。
操作部２６は、車載受信装置１に設けられた各種の操作スイッチ２６ａ、及び、タッチパネル２６ｂに接続され、これら操作スイッチ２６ａ、及び、タッチパネル２６ｂに対するユーザーの操作を検出し、制御部１０に出力する。
受信強度検出部２８は、チューナー部１１から、受信信号の受信強度を示す信号が入力され、入力された信号に基づいて、受信信号の受信強度を検出し、制御部１０に出力する。
【００２３】
ところで、上述したように、本実施形態に係る車載受信装置１では、ディジタルラジオ放送に係る受信信号の品質に応じて、出力する放送が、ディジタルラジオ放送と、アナログラジオ放送との間で切り替わる構成となっている。しかしながら、ディジタルラジオ放送と、アナログラジオ放送とでは、その音質に格段の差が存在するため、これらラジオ放送間で出力放送が切り替わった場合、音質の差に起因して、さらには、切り替えに伴って生じるタイムラグに起因して、ラジオ放送が聞き取りにくい状況に至ることがある。特に、切り替えが頻繁に行われる場合、ラジオ放送の聞き取りにくさが増すこととなる。従って、ディジタルラジオ放送と、アナログラジオ放送との間における切り替えをできるだけ抑制したいとするニーズがある。
以上のことを踏まえ、本実施形態に係る車載受信装置１では、以下の動作を実行し、上記切り替えを抑制している。
【００２４】
図２は、車載受信装置１の動作を示すフローチャートである。
なお、図２の動作の開始時点では、車載受信装置１は、ディジタル放送を出力中であるものとする。つまり、ブレンド信号生成部２０からＩＢＯＣブレンド処理部１８に対して、ブレンド信号Ｄが出力されている状態であるものとする。
ディジタル放送の出力中、車載受信装置１の制御部１０は、ＩＤＭ１７から入力された品質情報が示す受信信号の品質レベルが対応する閾値を下回るか、又は、受信信号の受信強度が対応する閾値を下回るか否かを監視する（ステップＳＡ１）。なお、ＩＤＭ１７から入力された品質情報が示す受信信号の品質レベルが対応する閾値を下回るか、又は、受信信号の受信強度が対応する閾値を下回るかした場合、ディジタル放送を正常に出力できない可能性がある状態となったということである。
ＩＤＭ１７から入力された品質情報が示す受信信号の品質レベルが対応する閾値を下回るか、又は、受信信号の受信強度が対応する閾値を下回った場合（ステップＳＡ１：ＹＥＳ）、制御部１０は、ブレンド信号生成部２０に対して制御信号を出力し、ブレンド信号生成部２０からＩＢＯＣブレンド処理部１８に出力されるブレンド信号を、ブレンド信号Ｄからブレンド信号Ａに切り替える（ステップＳＡ２）。これにより、出力される放送が、ディジタル放送からアナログ放送に切り替わる。
【００２５】
次いで、制御部１０は、予め定められた所定の時間の計測を開始する（ステップＳＡ３）。
所定の時間とは、出力する放送の切り替えを停止する期間に対応する時間として予め定められた時間のことである。本実施形態では、出力する放送の切り替えがあった場合、少なくとも当該所定の時間が経過するまでの間は、放送の切り替えが行われることを停止する。これにより、短期間の間に連続して放送の切り替えが行われることを防止し、上述したような放送の切り替えが頻繁に行われることに起因した音声の聞き取りにくさの発生を効果的に防止している。
特に、車載受信装置１は、車両に搭載される受信装置である。このため、車両の走行の状況、例えば、車両がトンネル内を走行したり、高いビルで囲まれた領域を走行したり等の状況に応じて、弱電界エリアと、そうでないエリアとの間を頻繁に行き来し、これに伴って、受信信号の品質が閾値をまたいで頻繁に昇降し、また、受信強度が閾値をまたいで頻繁に昇降する事態が生じ得る。この場合、例えば、受信強度が閾値を上回った（下回った）場合であっても、それは一時的なものであり、受信強度に応じて迅速に出力放送を切り替えるよりは、受信強度にかかわらず一定期間は切り替えを行わない方が、結果的に、出力される放送の品質を一定以上に保てる場合が多い。
そして、本実施形態のように、出力する放送の切り替えがあった場合、少なくとも所定の時間が経過するまでの間は、放送の切り替えが行われることを停止する構成とすることにより、放送の切り替えが頻繁に行われることを効果的に抑制でき、特に、車両の走行の状況にかかわらず、出力される放送の音声の品質が極端に下がることを防止できる。
【００２６】
ステップＳＡ３において所定の時間の計測を開始した後、制御部１０は、ブレンド信号生成部２０を制御して、所定時間が経過するまでの間（ステップＳＡ５：ＹＥＳ）、出力放送の切り替えを停止（禁止）し、出力される放送がアナログ放送である状態を維持する（ステップＳＡ４）。
そして、所定時間が経過した場合（ステップＳＡ５：ＹＥＳ）、制御部１０は、ＤＭ１７から入力された品質情報が示す受信信号の品質レベルが対応する閾値を上回り、かつ、受信信号の受信強度が対応する閾値を上回ったか否かを監視する（ステップＳＡ６）。なお、ＩＤＭ１７から入力された品質情報が示す受信信号の品質レベルが対応する閾値を上回り、かつ、受信信号の受信強度が対応する閾値を上回った場合、ディジタル放送を正常に出力できる状態である。
受信信号の品質レベルが対応する閾値を上回り、かつ、受信信号の受信強度が対応する閾値を上回った場合（ステップＳＡ６：ＹＥＳ）、制御部１０は、ブレンド信号生成部２０に対して制御信号を出力し、ブレンド信号生成部２０からＩＢＯＣブレンド処理部１８に出力されるブレンド信号を、ブレンド信号Ａからブレンド信号Ｄに切り替える（ステップＳＡ７）。これにより、出力される放送が、アナログ放送からディジタル放送に切り替わる。ステップＳＡ７の処理の終了後、制御部１０は、処理手順をステップＳＡ１へ戻す。
【００２７】
以上説明したように、本実施形態に係る車載受信装置１は、ディジタル放送の受信状態に応じて、受信状態が良い場合は、出力する放送をアナログ放送からディジタル放送へと切り替え、受信状態が悪い場合は、ディジタル放送からアナログ放送へと切り替える構成となっている。そして、車載受信装置１の制御部１０は、出力する放送をディジタル放送とアナログ放送との間で切り替えた後は、所定時間の間は、出力する放送の切り替えを行わない。
これにより、短期間の間に連続して放送の切り替えが行われることを防止し、上述したような放送の切り替えが頻繁に行われることに起因した音声の聞き取りにくさの発生を効果的に防止している。
特に、車載受信装置１は、車両に搭載される受信装置である。このため、車両の走行の状況、例えば、車両がトンネル内を走行したり、高いビルで囲まれた領域を走行したり等の状況に応じて、弱電界エリアと、そうでないエリアとの間を頻繁に行き来し、これに伴って、受信信号の品質が閾値をまたいで頻繁に昇降し、また、受信強度が閾値をまたいで頻繁に昇降する事態が生じ得る。この場合、例えば、受信強度が閾値を上回った（下回った）場合であっても、それは一時的なものであり、受信強度に応じて迅速に出力放送を切り替えるよりは、受信強度にかかわらず一定期間は切り替えを行わない方が、結果的に、出力される放送の品質を一定以上に保てる場合が多い。
そして、本実施形態のように、出力する放送の切り替えがあった場合、少なくとも所定の時間が経過するまでの間は、放送の切り替えが行われることを停止する構成とすることにより、放送の切り替えが頻繁に行われることを効果的に抑制でき、特に、車両の走行の状況にかかわらず、出力される放送の音声の品質が極端に下がることを防止できる。
【００２８】
また、本実施形態に係る車載受信装置１は、ディジタル放送に係るディジタルオーディオ信号と、アナログ放送に係るアナログオーディオ信号と、が入力され、出力信号をディジタルオーディオ信号及びアナログオーディオ信号のいずれかに切り替えるＩＢＯＣブレンド処理部１８を備えている。そして、制御部１０は、ブレンド信号生成部２０を制御することにより、このＩＢＯＣブレンド処理部１８を制御して、ディジタル放送の受信状態に応じて、受信状態が良い場合は、信号処理部の出力信号をアナログオーディオ信号からディジタルオーディオ信号へと切り替え、受信状態が悪い場合は、ディジタルオーディオ信号からアナログオーディオ信号へと切り替えると共に、出力信号をディジタルオーディオ信号とアナログオーディオ信号との間で切り替えた後は、所定時間の間は、出力信号の切り替えを行わない。
このような構成とすることにより、ＩＢＯＣブレンド処理部１８の出力信号の切り替えの制御を通して、好適に出力放送がディジタル放送とアナログ放送とで頻繁に切り替わることを抑制できる。
【００２９】
また、本実施形態に係る制御部１０は、受信信号の受信強度が閾値を超える場合、及び、ディジタル放送に係る受信信号の品質レベルが閾値を超える場合、受信状態が良いと判別し、出力放送をディジタル放送とする。
これにより、受信強度、及び、受信信号の品質レベルを利用して、効果的にディジタル放送の受信状態の判断を可能である。
【００３０】
なお、上述した実施の形態は、あくまでも本発明の一態様を示すものであり、本発明の範囲内で任意に変形および応用が可能である。
例えば、車載受信装置１の機能的構成は図１に例示したものに限らず、ディジタルチューナーと、アナログチューナーとを備え、ディジタルチューナーによって復調されたディジタルオーディオ信号と、アナログチューナーによって復調されたアナログオーディオ信号との間で出力信号を切り替える構成であってもよい。すなわち、本発明は、ディジタル放送と、アナログ放送とを受信可能な受信装置に広く適用可能である。
また、本実施形態では、受信強度と、受信信号の品質レベルとの双方に基づいて、出力放送を切り替える構成であったが、いずれか一方に基づいて、出力放送を切り替える構成であってもよい。
【符号の説明】
【００３１】
１  車載受信装置
１０  制御部
１８  ＩＢＯＣブレンド処理部（信号処理部）
２８  受信強度検出部
【図１】
2012114532.tif 000003
【図２】
2012114532.tif 000004